(57)【要約】      （修正有）【課題】居室において清掃が難しい床の入隅や、家具、器具などと壁面との隙間部分の清掃を容易にし、常用的に動作する事により清浄度の高い環境を作り出す。【解決手段】一般的に、室内の壁と床面の隣接箇所に設けられる巾木に吸引ファンを内蔵した吸引器を適切な間隔で数箇所設置して、巾木内に埃等を排出する運搬路となる空気通路を設け、吸引器から吸い込まれる埃等を空気通路を経由させ外部へ排出する。【選択図】図１
2006218270.tif 000002
【特許請求の範囲】
【請求項１】
一般に、室内の壁面と床面の隣接部に沿って取付けられる巾木に埃や微生物やカビ菌（以下、埃等）などを吸い込む吸引器を適度な間隔に数箇所設け、吸引器内部に設置された吸引ファンにより、吸引口から吸い込んだ埃等を効果的に巾木内に設置された空気通路へ導き、屋外に排出することを特徴とする掃除装置。
【請求項２】
吸引器から吸い込まれた埃等が運搬される空気通路において、適切な位置に吸引ファンが内蔵された接続ボックスを設け、空気通路内の風力を調整する機構をもつ事を特徴とする請求項１に記載の掃除装置。
【請求項３】
吸引装置もしくは外部に設置した吸引ファン付室外機から強制的に吸引することを特徴とする請求項１に記載の掃除装置。
【請求項４】
巾木の側面部に設けた埃等を吸引する吸引器に、埃等以外のものが吸引されることを防ぐためのフィルター機構を有することを特徴とする請求項１に記載の掃除装置。
【請求項５】
掃除装置の電源が、居室内照明の電源開閉器と連動して作動することを特徴とする請求項１に記載の掃除装置。
【発明の詳細な説明】
【技術分野】
【０００１】
本発明は居室内における床面もしくは、家具や器具等の設置により常用的に清掃が困難な場所におけて、埃等を除去するために使用される掃除装置に関わる。
【背景技術】
【０００２】
従来、居室の掃除作業は、一般に、吸引モーターと装置本体に接続するエアホースと、吸い込み口と排気口から構成される電気掃除機が補助具として利用されており、吸引した空気の中から塵や埃などは前記装置本体内に集積し、集積したものを廃棄している。
【０００３】
特開平７−１９４５０６号公報（以下特許文献１）では、この種の掃除機を用いて、巾木の上縁部に案内レールを設け、この上を滑動する滑動輪を備えた活動手段に吸引ホースの吸い込み口を接続し、家具の後ろなどの塵や埃などを吸引する技術が開示されている。
【０００４】
特開平２−３０５５３１号公報（以下特許文献２）では、開口部のあるパイプを室内の壁面と床面とが交わる位置に敷設し、吸引手段として備えた吸塵装置に関する技術が開示されている。
【特許文献１】特開平７−１９４５０６号公報
【特許文献２】特開平２−３０５５３１号公報
【発明の開示】
【発明が解決しようとする課題】
【０００５】
上記した特許文献１では、電気掃除機を利用しているため、掃除機の排気に含まれる微生物やカビなどは室内から除去できず、また居室に置かれる家具や器具等と壁との隙間などには、家具や器具等の移動を必要とする為、多くの労力を要する事が現状である。このため不衛生であると知りながらも、清掃されることは少ない。また、常時掃除をし続けるということは、電気掃除機を使用するのではほぼ不可能である。
【０００６】
又、従来技術及び特許文献１では、人が作業を行っている居室を掃除する際には、、一旦作業を中断し退避してもらう事が必要となり、常用的に使用される居室においては、その清掃の頻度を保つ事が難しい。
【０００７】
上記した特許文献２は、塵や埃などが吸引される通気パイプに沿って開口部を設け、吸引手段を備える吸塵装置について示されているが、通気パイプに沿い一様に開口部が設置されている。吸引部と空気通路が一体となった構成故に、空気通路上に開口がある事になり、構成的、又形状的に塵や埃などを吸い込む事は難しい。
【０００８】
本発明は居室の床入隅部や家具、器具等が置かれ電気掃除機では日常的に清掃が困難な場所の掃除を容易にし、また排気を室内に出さないことで、居室内での人の活動を妨げる事なく、埃等のアレルギーやシックハウスの原因となる物質を除去できる掃除装置を提供する。
【課題を解決するための手段】
【０００９】
上記の課題を解決するために、請求項１に記載の掃除装置は、吸引口となる吸引器と埃等などの運搬路となる空気通路を別々にし、吸引器には効果的に埃等を吸い込む為に内部に吸引ファンを設置し、空気通路は巾木内に設置する構成とした。この吸引器を居室の壁面と床面の隣接部に沿って設置されている巾木の側面部に適切な間隔で設置し、吸引器内に設けた吸引ファンによる吸引力により、室内の埃等を効率的に巾木内部に形成する空気通路へ導き、屋外へ排出することを特徴としている。
【００１０】
請求項２に記載の掃除装置は、巾木に設置した吸引器が接続する空気通路において、中継用の吸引ファンを有する接続ボックスを設け空気通路内風力の調整機構を有することを特徴としている。
【００１１】
請求項３に記載の掃除装置は、居室内の埃等を巾木側面部に設置した吸引口から、巾木内部に設置した空気通路を通して、吸引装置もしくは吸引ファン付室外機から強制的に吸引し、屋外に排出することを特徴としている。
【００１２】
請求項４に記載の掃除装置は、巾木の側面部に設ける吸引器内に、埃等以外のものが吸引されることを防ぐためのフィルター機構を有することを特徴としている。
【００１３】
請求項５に記載の掃除装置は、掃除装置の電源が居室内照明の電源開閉器と連動して作動することで、使用頻度の高い居室ほど清潔な状態を保てることを特徴としている。
【発明の効果】
【００１４】
上記請求項１に記載の発明では、一般的に居室の壁面と床面の隣接部に沿って設置される巾木内を空気通路として利用した掃除装置であるため、大きな取付工事をすることなく設置でき、又室内の内観も損なわない。又、吸引器内部に設けたファンの吸引力により効果的に埃等を吸引することが可能となると共に、家具や器具等により掃除が容易でない場所における掃除を家具等の移動をすることなく、室内での作業を止めることもなく、使用しながらにして室内を清浄に保つことができる効果がある。
【００１５】
上記請求項２の発明では、請求項１に記載の吸引器が接続する空気通路において、接続ボックスを必要に応じて設置し空気通路内の風力を調整することにより、排気部での排気力低下を防止できるという効果がある。
【００１６】
上記請求項３の発明では、巾木側面部に設置する吸引口から、巾木内部に設けた空気通路を通して、強制的に吸引装置もしくは外部に設置した吸引ファン付室外機で埃等を吸引することで、屋外に埃等を排出することができるという効果がある。
【００１７】
上記請求項４の発明では、巾木側面部に設置する吸引口に、フィルター等でカバーをしたことで、埃等以外の大きなものが吸引器内へ進入する事を防ぎ、吸引器より接続される空気通路内の詰りとフィルターに異物が絡まる等を防ぐことができるという効果がある。
【００１８】
上記請求項５の発明では、掃除装置の電源を、居室内照明の電源開閉器と連動して作動させることで、使用頻度の高い居室ほど空気を清浄に保つことができるという効果がある。
【発明を実施するための最良の形態】
【００１９】
本発明の実施形態を図面にて説明する。（１）は、図１のように居室の内壁（９）と床（１０）の隣接部に沿って設置される巾木である。この巾木（１）の側面部には、埃等を吸引する吸引口（４）を有する吸引器（２）が適宜、数箇所に設置されており、吸引器（２）には吸引ファン（３）とフィルター（５）が設置されている。図２、図３は、吸引口（４）から吸い込まれた埃等が、フィルター（５）、吸引ファン（３）を通って接続管（６）へと導かれ巾木内に形成された空気通路（７）へ送られる流れを示している。
【００２０】
図４と図５は、空気通路（７）内の風力を調整する接続ボックス（１３）で、内部には吸引ファン（３）があり、空気通路（７）内の風力を調整する為に、必要に応じて外壁（８）と内壁（９）の間、もしくは内壁（９）内に数箇所設置する。接続ボックス（１３）の設置箇所には、点検口（１１）を設置する。
【００２１】
巾木（１）が、ドア（１６）などの開口によって、途切れるような場合は、巾木内の空気通路に連結させるように、適宜図６のように床（１０）の下に、空気通路（７）を設置して、埃等を吸引するものであってもよい。
【００２２】
図７のように、外壁（８）と内壁（９）との間に設置される吸引器（２）により吸引された居室内の埃等は、吸引ファン（３）の風力に導かれ接続管（６）から、巾木内の空気通路（７）を通り、外壁（８）に設置するフード付ガラリ（１２）から、外部に排出される。
フード付ガラリ（１２）の設置箇所には点検口（１１）を設置する。
【００２３】
また、ひとつの居室に限らず、複数の居室に掃除装置を設置して埃等を排出する場合などには、図８のように、外部に室外機（１７）を設置し、この室外機により埃等の強制吸引を行い、建物の壁内に設置する内部ダクト（１４）および／または、外壁に設置する外部ダクト（１５）を通して、複数の居室などから吸引するセントラル方式であってもよい。
【００２４】
さらに、本発明の掃除装置は、巾木の素材については樹脂系、木、石などの素材や形状が限定されるものではなく、抗菌仕様を施すものであってもよい。設置場所も居室に限定されず、住戸内の廊下、玄関、クローゼット内や、託児所、病院、老人ホーム、幼稚園などの巾木を設置する複数の居室、または施設全体であってもよい。
【００２５】
また、吸引口（４）には、埃等以外の大きな物体を吸引することを防ぐために、フィルター（５）などを設ける。フィルターは、埃等以外の大きなものを通さない形状であれば、網目に限定せず、素材は、ビニールや布など限定するものではない。
【図面の簡単な説明】
【００２６】
【図１】掃除装置の使用状態を示す斜視図である。
【図２】掃除装置における吸引器から空気通路までの流れを示す断面図である。
【図３】同、立面図である。
【図４】掃除装置の空気通路における風力調整機構を示す接続ボックスの平面図である。
【図５】同、断面図である。
【図６】掃除装置における巾木の途切れる箇所における空気通路を示す断面図である。
【図７】掃除装置における外部への排気状態を示す断面図である。
【図８】掃除装置における外部への排気状態を示す断面図である。
【符号の説明】
【００２７】
１    巾木
２    吸引器
３    吸引ファン
４    吸引口
５    フィルター
６    接続管
７    空気通路
８    外壁
９    内壁
１０  床
１１  点検口
１２  フード付ガラリ
１３  接続ボックス
１４  内部ダクト
１５  外部ダクト
１６  ドア
１７  室外機
【図１】
2006218270.tif 000003
【図２】
2006218270.tif 000004
【図３】
2006218270.tif 000005
【図４】
2006218270.tif 000006
【図５】
2006218270.tif 000007
【図６】
2006218270.tif 000008
【図７】
2006218270.tif 000009
【図８】
2006218270.tif 000010